(57)【要約】【課題】  複数の給紙装置のいずれかの故障の発生を検知した場合はエラー状態となり、装置の使用そのものが不可能になっていた。【解決手段】  複数の給紙装置のいずれかを選択し、当該選択した給紙装置から給紙した用紙に画像を形成する画像形成装置とその制御方法であって、複数の給紙装置に含まれる少なくとも１つの給紙装置における故障の発生を検知した場合に、当該故障が発生した給紙装置以外の給紙装置から用紙を給紙するように制御する。【選択図】  図６
2015202655.tif 000002
【特許請求の範囲】
【請求項１】
複数の給紙装置のいずれかを選択し、当該選択した給紙装置から給紙した用紙に画像を形成する画像形成装置であって、
前記複数の給紙装置に含まれる少なくとも１つの給紙装置における故障の発生を検知する検知手段と、
前記検知手段が故障の発生を検知した場合に、当該故障が発生した給紙装置以外の給紙装置から用紙を給紙するように制御する制御手段と、
を有することを特徴とする画像形成装置。
【請求項２】
画像形成ジョブを実行する際、当該画像形成ジョブで使用する用紙を給紙する給紙装置を選択するための画面を表示する第１表示手段を更に備え、
前記制御手段は、前記第１表示手段により表示された画面で、前記検知手段により検知された故障が発生した給紙装置を選択できないように制御することを特徴とする請求項１に記載の画像形成装置。
【請求項３】
前記検知手段により検知された故障が発生した給紙装置に関する情報を表示する表示手段を更に備えることを特徴とする請求項１又は２に記載の画像形成装置。
【請求項４】
前記第１表示手段は、前記画面に複数の給紙装置にそれぞれ対応する複数のアイコンを表示し、
前記制御手段は、前記第１表示手段により表示された前記画面で、前記検知手段により検知された故障が発生した給紙装置に対応するアイコンを選択できないようにするか、或いは前記アイコンの選択を確定できないようにすることを特徴とする請求項２に記載の画像形成装置。
【請求項５】
前記アイコンは、対応する給紙装置に収容されている用紙のサイズを示す情報を含むことを特徴とする請求項４に記載の画像形成装置。
【請求項６】
前記複数の給紙装置で用紙切れが発生した給紙装置への用紙の補給を促す画面を表示する第２表示手段を更に有し、
前記制御手段は、更に、前記第２表示手段により表示された画面で、前記検知手段により検知された故障が発生した給紙装置を選択できないように制御することを特徴とする請求項１乃至５のいずれか１項に記載の画像形成装置。
【請求項７】
前記第２表示手段は、前記画面に複数の給紙装置にそれぞれ対応する複数のアイコンを表示し、
前記制御手段は、前記第２表示手段により表示された前記画面で、前記検知手段により検知された故障が発生した給紙装置に対応するアイコンを選択できないようにするか、或いは前記アイコンの選択を確定できないようにすることを特徴とする請求項６に記載の画像形成装置。
【請求項８】
複数の給紙装置のいずれかを選択し、当該選択した給紙装置から給紙した用紙に画像を形成する画像形成装置を制御する制御方法であって、
前記複数の給紙装置に含まれる少なくとも１つの給紙装置における故障の発生を検知する検知工程と、
前記検知工程で故障の発生が検知された場合に、当該故障が発生した給紙装置以外の給紙装置から用紙を給紙するように制御する制御工程と、
を有することを特徴とする画像形成装置の制御方法。
【請求項９】
コンピュータを、請求項１乃至７のいずれか１項に記載の画像形成装置として機能させるためのプログラム。
【発明の詳細な説明】
【技術分野】
【０００１】
本発明は、画像形成装置、その制御方法とプログラムに関するものである。
【背景技術】
【０００２】
従来の画像形成装置には、給紙カセットや給紙デッキなどの用紙を格納する給紙装置を少なくとも１つ以上備えているものがある。例えば、特許文献１には、給紙装置として２つのカセットと１つのデッキを備えた画像形成装置が開示されている。このような複数の給紙装置を備えた画像形成装置では、コピーやプリンタドライバからの印刷ジョブやＦＡＸの受信等のジョブ毎に、印刷に使用する給紙装置をそれぞれ割り当てることができる。
【先行技術文献】
【特許文献】
【０００３】
【特許文献１】特開２００８−０３０４５１号公報
【発明の概要】
【発明が解決しようとする課題】
【０００４】
画像形成装置では、ローラの故障などにより一部の給紙装置が故障するケースがある。従来の画像形成装置は、このような故障の発生を検知した状況では、装置全体としてのエラー状態となり、装置の使用そのものが不可能になっていた。この場合、他の給紙装置が故障していないにも関わらず、故障した給紙装置を修理するまでは装置を使用することができないため、作業効率が落ちてしまうという問題がある。
【０００５】
本発明の目的は、上記従来技術の問題点を解決することにある。
【０００６】
本発明の特徴は、複数の給紙装置のいずれかの故障を検知した場合にも、故障していない給紙装置を利用して画像形成処理を実行する技術を提供することにある。
【課題を解決するための手段】
【０００７】
上記目的を達成するために本発明の一態様に係る画像形成装置は以下のような構成を備える。即ち、
複数の給紙装置のいずれかを選択し、当該選択した給紙装置から給紙した用紙に画像を形成する画像形成装置であって、
前記複数の給紙装置に含まれる少なくとも１つの給紙装置における故障の発生を検知する検知手段と、
前記検知手段が故障の発生を検知した場合に、当該故障が発生した給紙装置以外の給紙装置から用紙を給紙するように制御する制御手段と、を有することを特徴とする。
【発明の効果】
【０００８】
本発明によれば、複数の給紙装置のいずれかの故障を検知した場合にも、故障していない給紙装置を利用して画像形成処理を実行できるようにすることで、ユーザの作業効率をよくすることができる。
【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施の形態を示し、その記述と共に本発明の原理を説明するために用いられる。
【図１】本発明の実施形態に係る画像形成装置の全体構成を示すブロック図。
【図２】実施形態に係る画像形成装置のソフトウェアモジュールを説明するブロック図。
【図３】実施形態に係る画像形成装置の概観図。
【図４】本発明の実施形態１に係る画像形成装置において、給紙装置で故障の発生を検知した場合の処理を説明するフローチャート。
【図５】実施形態１に係る画像形成装置において、用紙デッキに故障が発生したことを検知したときに操作部に表示する画面例を示す図。
【図６】実施形態１に係る画像形成装置において給紙装置で故障の発生を検知した場合の処理を説明するフローチャート。
【図７】実施形態１に係る画像形成装置におけるコピーの際の操作画面例を示す図。
【図８】実施形態１に係る画像形成装置における用紙補給の指示画面例を示す図。
【図９】本発明の実施形態２に係る画像形成装置において、給紙装置で故障の発生を検知した場合に、印刷実行時に選択する給紙装置の選択処理を示すフローチャート。
【図１０】実施形態２に係る画像形成装置の操作部に表示される画面例を示す図。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
図１は、本発明の実施形態に係る画像形成装置の全体構成を示すブロック図である。
【００１３】
この画像形成装置は、装置全体を制御するコントローラユニット（制御部）１００、画像データを入力するデバイスであるスキャナ１１３、プリンタ１１４、及び操作者からの指示の入力と操作者への情報の表示を行うための操作部１１５を有する。スキャナ１１３はスキャナ処理部１１１と、プリンタ１１４はプリンタ処理部１１２とそれぞれ接続されている。スキャナ処理部１１１、プリンタ処理部１１２、操作部１１５はそれぞれ、デバイスＩ／Ｆ１１０、操作部Ｉ／Ｆ１０６を介して制御部１００に接続され、制御部１００からの指示により制御される。
【００１４】
制御部１００のＣＰＵ１０１は、システムバス１０８を通して、ＲＡＭ１０２，ＲＯＭ１０３，ＨＤＤ１０４、操作部Ｉ／Ｆ１０６、ネットワークＩ／Ｆ１０７と接続される。ＲＡＭ１０２はＣＰＵ１０１の作業領域を提供するメモリで、パラメータ等の設定を一時記録するための設定値記憶メモリと、画像データを一時記憶する画像メモリエリアを有している。ＲＯＭ１０３はブートＲＯＭであり、システムブートプログラムを格納している。ＨＤＤ１０４には、ＯＳや制御プログラム、パラメータ設定値、画像データなどが格納される。ＣＰＵ１０１は、ＲＯＭ１０３に格納されたブートプログラムを実行して、ＨＤＤ１０４にインストールされているＯＳやプログラムをＲＡＭ１０２に展開して実行することにより、この装置全体の動作を制御する。操作部Ｉ／Ｆ１０６は、制御部１００と操作部１１５との間で入出力を行うためのインタフェースである。操作部Ｉ／Ｆ１０６は、ＣＰＵ１０１から指示を受け表示する画像データを操作部１１５へ出力し、操作者が操作部１１５を介して入力した情報をＣＰＵ１０１へ伝送する。ネットワークＩ／Ｆ１０７はＬＡＮ１０５と接続され、ＬＡＮ１０５との間で情報の入出力を行う。
【００１５】
画像処理部１０９は、ＬＡＮ１０５から受信したＰＤＬコードをビットマップ画像に展開する。また画像処理部１０９は、ＨＤＤ１０４に圧縮、符号化されて格納されている画像データをプリンタ処理部１１２で利用可能な形式の画像データに変換してプリンタ処理部１１２に渡す。プリンタ処理部１１２は、その画像処理された画像データを受け取ってプリンタ１１４で印刷できるデータに変換してプリンタ１１４に出力する。デバイスＩ／Ｆ１１０は、スキャナ処理部１１１及びプリンタ処理部１１２を介してスキャナ１１３やプリンタ１１４を接続し、画像データの同期系／非同期系の変換と、設定値、調整値、機器状態のデータの伝送を行う。スキャナ処理部１１１は、スキャナ１１３から入力した画像データに対して、補正、加工、像域分離、変倍、２値化処理などの編集等の各種処理を行う。
【００１６】
スキャナ１１３は、図示しない自動連続原稿送り装置と圧板読取装置を有し、複数枚の原稿の両面の読み取りを行うことができる。また図示しない原稿カバーの開閉、原稿の有無、原稿サイズを検知するセンサを有しており、それらセンサで検知した情報やスキャナ１１３の状態情報はスキャナ処理部１１１とデバイスＩ／Ｆ１１０を介してＣＰＵ１０１へ送信される。プリンタ処理部１１２は、プリント出力する画像データに対して、プリンタ１１４の特性に応じた補正、解像度変換などの処理や、画像の印刷位置の調整などの処理を行う。プリンタ１１４は、図３を参照して後述するように、印刷に使用する用紙を格納するための給紙装置を複数有している。
【００１７】
図２は、実施形態に係る画像形成装置のソフトウェアモジュールを説明するブロック図である。ここで示される各ソフトウェアモジュールは主にＣＰＵ１０１が前述の制御プログラムを実行することにより実現される。
【００１８】
ジョブコントロール処理２０１は、各ソフトウェアモジュールを投下・制御し、コピー、プリント、スキャン、ＵＩ処理などの画像形成装置内で発生するあらゆるジョブの制御を行う。ＵＩ処理２０２は、主に操作部１１５、操作部Ｉ／Ｆ１０６に係る制御を行う。ＵＩ処理２０２は、操作者が操作部１１５で操作した内容を、ジョブコントロール処理２０１へ通知するとともに、ジョブコントロール処理２０１からの指示に基づいて、操作部１１５の表示画面の表示内容を制御する。また操作部１１５に表示するための描画データの編集などを制御する。ネットワーク処理２０３は、主にネットワークＩ／Ｆ１０７を介して行われる外部機器との通信を制御するモジュールであり、ＬＡＮ１０５上の各外部機器との通信制御を行う。ネットワーク処理２０３はＬＡＮ１０５の各機器からの制御コマンドやデータを受信すると、その内容をジョブコントロール処理２０１へ通知する。またジョブコントロール処理２０１からの指示に基づき、ＬＡＮ１２０上の各外部機器へ制御コマンドやデータを送信する。
【００１９】
スキャン処理２０４は、ジョブコントロール処理２０１の指示に基づいて、スキャナ１１３、及びスキャナ処理部１１１を制御して、スキャナ１１３に原稿の読み込みを指示する。そしてスキャナ１１３から受け取った原稿の画像データに対してスキャナ処理部１１１に画像処理を指示し、またスキャナ処理部１１１とスキャナ１１３の状態情報を取得してジョブコントロール処理２０１へ通知する。プリント処理２０５はジョブコントロール処理２０１の指示に基づいて、画像処理部１０９、プリンタ処理部１１２及びプリンタ１１４を制御して、指定された画像処理を行って印刷を行うように制御する。プリント処理２０５は、ジョブコントロール処理２０１より、画像データ、画像情報（画像データのサイズ、カラーモード、解像度など）、レイアウト情報（オフセット、拡大縮小、面付けなど）及び出力用紙情報（サイズ、印刷方向）などの情報を受け付ける。そして、画像処理部１０９及びプリンタ処理部１１２を制御して、画像データに対して、指示された画像処理を施し、プリンタ１１４を制御して印刷を行う。またプリント処理２０５は、プリンタ処理部１１２とプリンタ１１４の状態情報を取得して、ジョブコントロール処理２０１へ通知する。
【００２０】
図３は、実施形態に係る画像形成装置の概観図である。
【００２１】
この画像形成装置のプリンタ１１４は複数の給紙装置を有している。これら給紙装置は、給紙カセット３０１〜３０４及びデッキ３０５を含む。デッキ３０５は、大容量の用紙（シート）を収容でき、カール補正機能、エアヒータ機能及び捌きファン機能を備えている。エアヒータ機能では、用紙の情報及び湿度を基にヒータをオン／オフしたり、捌きファン機能では吸着ファンの風量を調整する。またカール補正機能では、用紙の正カール（下に凸）及び逆カール（上に凸）の補正も可能である。これら給紙装置は、収容された用紙のサイズや残量及び、ドアの開閉などの状態を含む給紙装置に関する情報を検知し、プリンタ処理部１１２とデバイスＩ／Ｆ１１０を介してＣＰＵ１０１に通知する。
【００２２】
［実施形態１］
次に、実施形態１に係る画像形成装置のプリンタ１１４が所有する給紙装置で故障が発生した場合の動作について説明する。
【００２３】
図４は、本発明の実施形態１に係る画像形成装置において、給紙装置で故障の発生を検知した場合の処理を説明するフローチャートである。尚、このフローチャートで示す処理は、ＨＤＤ２０４からＲＡＭ１０２に展開されたプログラムをＣＰＵ１０１が実行することにより達成される。
【００２４】
まずＳ４０１でＣＰＵ１０１は、プリンタ処理部１１２とデバイスＩ／Ｆ１１０を介して、給紙装置の情報を取得する。そしてＳ４０２に進み、その取得した情報をＲＡＭ１０２に記憶する。次にＳ４０３に進みＣＰＵ１０１は、その取得した情報が給紙装置の故障の情報を含むかどうかを判定する。ここで給紙装置の故障とは、給紙装置からプリンタ１１４のプリンタエンジンへ用紙を搬送するために、給紙装置内で用紙を搬送可能位置までリフトアップする際に、用紙が搬送可能位置まで到達しなかった場合を含む。また、図３のデッキ３０５などの高度な機能を有した給紙装置であれば、カール補正機能、エアヒータ機能及び捌きファン機能などの各種のセンサに異常があった場合も故障となり、給紙動作が続行できないエラーとなる。
【００２５】
Ｓ４０３でＣＰＵ１０１は、取得した情報が、給紙動作を実行できない故障を示す情報を含んでいると判定したときはＳ４０４に進み、給紙装置の情報を操作部１１５に表示して、この処理を終了する。またＳ４０３でＣＰＵ１０１が、取得した情報が故障を示す情報を含んでいないと判定したときは、この処理を終了する。
【００２６】
図５は、実施形態１に係る画像形成装置において、用紙デッキに故障が発生したことを検知したときに操作部１１５に表示される画面例を示す図である。図５は、用紙デッキ３０５で故障が発生した場合の画面例を示しており、メッセージ５０１で、用紙デッキ３０５に故障が発生していることが報知されている。
【００２７】
図６は、実施形態１に係る画像形成装置において給紙装置で故障の発生を検知した場合の処理を説明するフローチャートである。
【００２８】
まずＳ６０１でＣＰＵ１０１は、操作部１１５で選択された給紙装置の情報を確認するとＳ２０２に進む。Ｓ６０２でＣＰＵ１０１は、選択された給紙装置の情報で、故障が発生しているか否かを判定する。Ｓ６０２でＣＰＵ１０１が、選択された給紙装置が故障していると判定するとＳ６０３に進みＣＰＵ１０１は、その給紙装置（ここでは用紙デッキ３０５）の使用を不可に設定して、この処理を終了する。尚、Ｓ６０２でＣＰＵ１０１が、給紙装置が故障していないと判定すると、この処理を終了する。
【００２９】
図７は、実施形態１に係る画像形成装置におけるコピーの際の操作画面例を示す図である。ここでは操作部１１５の表示部はタッチパネル機能を有しているとする。
【００３０】
図７（Ａ）は、コピーの初期操作画面例を示し、ここでユーザが「用紙選択」ボタン７０１にタッチすると図７（Ｂ）に示す給紙装置の選択画面に移行する。図７（Ｂ）では、ボタン（アイコン）７０２が示すＡ４サイズの用紙が収容されている給紙カセット３０１が選択されると、この選択を確定するＯＫボタン７０３が押下可能になる。
【００３１】
一方、図７（Ｃ）では、故障が発生している用紙デッキ３０５に対応するボタン（アイコン）７０４が選択されると、この選択を確定するＯＫボタン７０３は、押下されても受け付けないことを示すように表示される。そしてＯＫボタン７０３が受け付けられない理由が、メッセージ７０４で説明されている。尚、図７（Ｃ）では、故障が発生している用紙デッキ３０５に対応するボタン７０４そのものを選択できないようにしても良い。
【００３２】
このようにして、印刷処理に際して、ユーザが故障が発生している給紙カセットを選択しようとすると、その選択を受け付けないように制御される。これにより、ユーザが故障が発生している給紙部を選択することにより、その印刷処理が実行されなくなるといった事態の発生を回避できる。
【００３３】
図８は、実施形態１に係る画像形成装置における用紙補給の指示画面例を示す図である。
【００３４】
図８（Ａ）では、ボタン８０１に対応する給紙カセット３０１が選択されていて、給紙カセット３０１の用紙がなくなった状態を示す。ここでは選択されている給紙カセットに用紙を補給することが促され、印刷に必要な用紙はＡ４サイズの用紙であることが分かる。この状態では、給紙カセット３０１は故障していないため、用紙を補給すれば継続して印刷を実行できるため、ＯＫボタン８０２は押下可能である。
【００３５】
一方、図８（Ｂ）の状態は、ボタン８０３に対応する用紙デッキ３０５が選択されていて、用紙デッキ３０５の用紙がなくなった状態を示す。この状態では、用紙デッキ３０５は故障しているため、用紙を補給しても継続して印刷を実行できない。このため、ＯＫボタン８０２は、押下されても受け付けないことを示すように表示される。そしてＯＫボタン８０２が受け付けられない理由が、メッセージ８０４で説明されている。尚、この場合も、図８（Ｂ）の画面で、用紙デッキ３０５に対応するボタン８０３を選択できないようにしても良い。
【００３６】
以上説明したように実施形態１によれば、給紙装置に故障が発生した場合、故障が発生した給紙装置をユーザに提示するとともに、その給紙装置を選択できないようにし、その故障が発生した給紙装置以外の給紙装置を使用した印刷処理を継続して実行できる。
【００３７】
また、印刷ジョブ（画像形成ジョブ）に対して、故障が発生している給紙部を選択できないようにすることで、給紙部の故障により印刷ジョブが実行できなくなるのを防止できる。また故障が発生していない他の給紙部を選択することにより、故障が発生した給紙部が存在しても、印刷ジョブを実行させることができる。
【００３８】
［実施形態２］
前述の実施形態１では、給紙装置の故障の発生を検知した場合に、操作部１１５に表示する画面で給紙装置の選択を制限する例を説明した。これに対して実施形態２では、給紙装置の故障の発生を検知した場合の自動用紙選択の動作について説明する。尚、実施形態２に係る画像形成装置のハードウェア構成は、前述の実施形態１の場合と同じであるため、その説明を省略する。
【００３９】
図９は、本発明の実施形態２に係る画像形成装置において、給紙装置で故障の発生を検知した場合に、印刷実行時に選択する給紙装置の選択処理を示すフローチャートである。尚、このフローチャートで示す処理は、ＨＤＤ２０４からＲＡＭ１０２に展開されたプログラムをＣＰＵ１０１が実行することにより達成される。
【００４０】
まずＳ９０１でＣＰＵ１０１は、印刷ジョブを受信する。次にＳ９０２に進みＣＰＵ１０１は、その印刷ジョブに含まれる用紙情報（サイズ、印刷方向）などの情報、及びＲＡＭ１０２に保持している自動カセット選択のオン／オフ情報を取得する。実施形態２における印刷ジョブはコピージョブであるが、ネットワークを介して受信した印刷ジョブや、ボックスに保持した文書データを印刷する印刷ジョブなどであっても良い。この自動カセット選択のオン／オフ情報がオンに設定されていると、印刷ジョブで指定された用紙サイズや用紙種に合った用紙が収容されている給紙カセット或いはデッキを自動的に選択する。
【００４１】
次にＳ９０３に進みＣＰＵ１０１は、受信した印刷ジョブに含まれる用紙情報及び、Ｓ９０２で取得した自動カセット選択のオン／オフ情報を基に、その印刷ジョブを実行するにあたり、用紙を給紙可能な給紙装置のリスト（給紙可能リスト）を作成する。ここでは自動カセット選択情報がオンである場合を説明する。この給紙可能リストの表示順は、予め決定されている給紙装置の優先度を考慮して決定する。
【００４２】
図１０は、実施形態２に係る画像形成装置の操作部１１５に表示される画面例を示す図である。
【００４３】
図１０（Ａ）は、自動カセット選択のオン／オフは、「コピー」、「プリンタ」（ＰＣからのデータに基づく印刷ジョブ）、ボックスなどジョブ種毎に設定可能である。ここで、「コピー」ボタン１００１が押下されてＯＫボタン１００４が押下されると、コピーモードで自動カセット選択がオンにセットされる。
【００４４】
図１０（Ｂ）は、図１０（Ａ）の画面でコポーボタン１００１が選択されてＯＫボタン１００４が押下された場合に表示される画面例を示す図である。ここには、コピージョブで使用可能な給紙装置のリストが表示されている。
【００４５】
図１０（Ｂ）では、ボタン１００２と１００３が共にＡ４サイズの用紙を収容しているため「オン」に設定されており、これによりコピージョブでは、給紙カセット３０１と用紙デッキ３０５が使用可能であることが分かる。尚、図１０（Ｂ）では、給紙カセット３０１が最も優先度（優先度１）が高く、用紙デッキ３０５は最も優先度が低く（優先度５）なっている。
【００４６】
次にＳ９０４に進みＣＰＵ１０１は、Ｓ９０３で表示した給紙可能リストに含まれる給紙カセット或いは用紙デッキで故障が発生しているかどうかを判定する。Ｓ９０４でＣＰＵ１０１が故障が発生している給紙カセット或いは用紙デッキがないと判定するとＳ９０６に進むが、故障が発生している給紙カセット或いは用紙デッキがあると判定するとＳ９０５に進む。Ｓ９０５でＣＰＵ１０１は、故障が発生した給紙装置の表示を、その給紙可能リストから除外して表示する。そしてＳ９０６に進みＣＰＵ１０１は、給紙可能リストでオンとなっている、最も優先度が高い給紙装置に対する給紙指示をプリンタ１１４に送信する。
【００４７】
これは例えば図１０（Ｂ）で、ボタン１００２と１００３がともに「オン」に設定されているときに、ボタン１００３に対応する用紙デッキ３０５で故障が発生した場合は、給紙可能リストはカセット３０５に対応するボタン１００３は消去して表示される。
【００４８】
尚、この実施形態２において、印刷ジョブの実行中に給紙カセット３０１の用紙を全て使用してしまって用紙切れになった場合は、給紙カセット３０１に対して用紙を補給するように指示する画面を表示する。
【００４９】
また、給紙可能リストに表示される給紙装置が存在しない場合は、予め決定されている給紙装置自体の優先度に従って、使用可能な給紙装置に対して用紙を補給する画面を表示する。
【００５０】
以上説明したように実施形態２によれば、給紙装置での故障の発生を検知した場合にも、画像形成装置の使用者が故障した給紙装置を避けて印刷を実行させることが可能となる。
【００５１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００５２】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００５３】
１０１…ＣＰＵ，１０２…ＲＡＭ，１０３…ＲＯＭ，１０４…ＨＤＤ，１１４…プリンタ、１１５…操作部、３０１〜３０４…給紙カセット、３０５…用紙デッキ
【図１】
2015202655.tif 000003
【図２】
2015202655.tif 000004
【図３】
2015202655.tif 000005
【図４】
2015202655.tif 000006
【図５】
2015202655.tif 000007
【図６】
2015202655.tif 000008
【図７】
2015202655.tif 000009
【図８】
2015202655.tif 000010
【図９】
2015202655.tif 000011
【図１０】
2015202655.tif 000012